【事件の表示】
　上記当事者間の登録第４１６３０２７号商標の商標登録無効審判事件について、次のとおり審決する。
【結　論】
　登録第４１６３０２７号商標の指定商品中「第９類　電子計算機，電子計算機用プログラムを記憶させた電子回路・磁気ディスク・磁気テープその他の周辺機器，事業及びマーケティングの分野において用いるためのユニットとして販売される電子計算機用プログラムを記憶させた電子回路・磁気ディスク・磁気テープその他の周辺機器，その他の電子応用機械器具及びその部品，配電用又は制御用の機械器具，回転変流機，調相機，電池，電気磁気測定器，電線及びケーブル，電気アイロン，電気式ヘアカーラー，電気式ワックス磨き機，電気掃除機，電気ブザー，磁心，抵抗線，電極」についての登録を無効とする。
　その余の指定商品についての審判請求は成り立たない。
　審判費用は、被請求人の負担とする。
【理　由】
１　本件商標
　本件登録第４１６２３０２７号商標（以下、「本件商標」という。）は、
平成８年５月２２日登録出願、後掲（１）に示すとおり、「ＰＯＬＫ」の欧文字を横書きしてなり、第９類「電子計算機，電子計算機用プログラムを記憶させた電子回路・磁気ディスク・磁気テープその他の周辺機器，事業及びマーケティングの分野において用いるためのユニットとして販売される電子計算機用プログラムを記憶させた電子回路・磁気ディスク・磁気テープその他の周辺機器，その他の電子応用機械器具及びその部品，理化学機械器具，測定機械器具，配電用又は制御用の機械器具，回転変流機，調相機，電池，電気磁気測定器，電線及びケーブル，写真機械器具，映画機械器具，光学機械器具，眼鏡，加工ガラス（建築用のものを除く。），救命用具，電気通信機械器具，レコード，メトロノーム，オゾン発生器，電解槽，ロケット，遊園地用機械器具，電気アイロン，電気式ヘアカーラー，電気式ワックス磨き機，電気掃除機，電気ブザー，乗物の故障の警告用の三角標識，発光式又は機械式の道路標識，鉄道用信号機，火災報知機，盗難警報器，事故防護用手袋，消火器，消火栓，消火ホース用ノズル，消防艇，消防車，自動車用シガーライター，保安用ヘルメット，防火被服，防じんマスク，防毒マスク，溶接マスク，磁心，抵抗線，電極，映写フィルム，スライドフィルム，スライドフィルム用マウント，録画済みビデオディスク及びビデオテープ，ガソリンステーション用装置，自動販売機，駐車場用硬貨作動式ゲート，動力付床洗浄機，金銭登録機，硬貨の計数用又は選別用の機械，作業記録機，写真複写機，手動計算機，製図用又は図案用の機械器具，タイムスタンプ，タイムレコーダー，電気計算機，パンチカードシステム機械，票数計算機，ビリングマシン，郵便切手のはり付けチェック装置，計算尺，ウエイトベルト，ウエットスーツ，浮き袋，エアタンク，水泳用浮き板，レギュレーター，潜水用機械器具，アーク溶接機，金属溶断機，電気溶接装置，犬笛，家庭用テレビゲームおもちゃ，検卵器，電動式扉自動開閉装置，乗物運転技能訓練用シミュレーター，運動技能訓練用シミュレーター」を指定商品として、平成１０年７月３日に設定登録されたものである。
     　
２　引用商標
　請求人が本件商標の登録無効の理由に引用した登録第２６５８５８５号商標（以下、「引用Ａ商標」という。）は、平成４年１月３０日に登録出願、後掲（２）に示すとおり、「Ｐｏｌｋ」の欧文字を横書きしてなり、指定商品を平成３年政令第２９９号による改正前の商標法施行令第１条に基づく商品の区分第１１類（以下、「旧第１１類」という。）「スピーカー，その他本類に属する商品」として、平成６年５月３１日に設定登録され、現に有効に存続しているものである。同じく、登録第２１１１７７５号商標（以下、「引用Ｂ商標」という。）は、昭和６１年７月２日に登録出願、後掲（３）に示すとおり、構成中の一部に図形を含む「ｐｏｌｋａｕｄｉｏ」の 欧文字を横書きしてなり、指定商品を旧第１１類「拡声器」として、平成１年２月２１日に設定登録、その後、平成１０年９月２２日に商標権の存続期間の更新登録がなされ、現に有効に存続しているものである。
　
３　請求人の主張
　請求人は、「本件商標の登録はこれを無効とする。審判費用は被請求人の負担とする。」との審決を求め、その理由を概略次のように述べ、証拠方法として、甲第１号証乃至同第７号証（枝番を含む。）を提出している。
　本件商標は、「ＰＯＬＫ」の欧文字よりなるから、該文字に相応して「ポウク」又は「ポーク」の称呼を生ずるものであり、また、該文字は、英語「ｐｏｌｋ」と同一の綴りであり、該文字は「ｐｏｌｋａ」の口語であるから、「ポルカ」（ボヘミアに起こった快活な二拍子の円舞）又はその舞曲の観念を生ずるものである。
　一方、引用Ａ商標は、本件商標と同一の綴りからなるものであるから、本件商標と同様に、「ポウク」又は「ポーク」の称呼と「ポルカ」又はその舞曲の観念を生ずるものである。
　したがって、本件商標は、引用Ａ商標と称呼及び観念を同一にするものであるから、商標において類似の商標というべきものであり、その指定商品も引用Ａ商標の指定商品と同一ないし類似のものである。
　また、引用Ｂ商標は、「ｐｏｌｋａｕｄｉｏ」の欧文字よりなるところ、後半部の「ａｕｄｉｏ」は、音響機器を意味する英語であり、その指定商品「拡声器」との関係においては、商品の品質を表示するものであるから、簡易迅速を尊ぶ商取引界においては、引用Ｂ商標は「ａｕｄｉｏ」の部分が省略されて「ポウク」又は「ポーク」の略称が生ずるものである。
　したがって、本件商標は、引用Ｂ商標と称呼を同一にするものであるから、商標において類似するものであり、また、本件商標の指定商品中「電気通信機械器具」は、引用Ｂ商標の指定商品「拡声器」を含むものであるから、指定商品においても類似するものである。
　以上のとおり、本件商標は、引用Ａ、Ｂ商標と商標及び指定商品においても類似するものであるから、商標法第４条第１項第１１号に該当し、この登録は同法第４６条第１項の規定によって無効とされるべきものである。
　
４　被請求人の主張
　被請求人は、上記の審判請求書に対する答弁書を提出せず、平成１２年２月２日付けの上申書において、引用Ａ、Ｂ商標の専用使用権者であるポーク・オーディオ・インコーポレーテッドと交渉中であるとして、本件審理の猶予方を上申している。
　
５　当審の判断
　本件商標と引用商標との類否について判断する。
　本件商標は、別掲（１）に表示したとおり、「ＰＯＬＫ」の文字を表してなるものであるから、その構成文字に相応して、英語風又はローマ字風に「ポーク」又は「ポルク」の称呼を生ずるものである。
　他方、引用Ａ商標は、別掲（２）に表示したとおり、「ｐｏｌｋ」の文字を表してなるものであるから、その構成文字に相応して、上記同様に「ポーク」又は「ポルク」の称呼を生ずるものである。
　してみれば、本件商標と引用商標とは、「ポーク」又は「ポルク」の称呼を同じくする類似の商標である。
　そして、本願商標の指定商品中の「電子計算機，電子計算機用プログラムを記憶させた電子回路・磁気ディスク・磁気テープその他の周辺機器，事業及びマーケティングの分野において用いるためのユニットとして販売される電子計算機用プログラムを記憶させた電子回路・磁気ディスク・磁気テープその他の周辺機器，その他の電子応用機械器具及びその部品，配電用又は制御用の機械器具，回転変流機，調相機，電池，電気磁気測定器，電線及びケーブル，電気アイロン，電気式ヘアカーラー，電気式ワックス磨き機，電気掃除機，電気ブザー，磁心，抵抗線，電極」は、引用Ａ商標の指定商品である旧第１１類の指定商品中に含まれるものである。
　してみれば、本件商標の登録は、前記の商品について商標法第４条第１項第１１号に違反してされたものといわざるを得ないから、結論掲記の商品についての登録は、同法第４６条第１項により、これを無効とすべきものである。
　そして、前記の商品以外の商品については、商標法第４条第１項第１１号に違反して登録されたものとはいえないから、無効とすることはできない。
　なお、引用Ｂ商標の指定商品は、引用Ａ商標の指定商品に含まれるものであるから、それとの類否の判断は省略した。
　また、被請求人は、引用商標の専用使用権者と交渉中であるとして本件の審理につき暫時猶予方を求めているが、専用使用権者との交渉結果が、直ちに本件商標権の消長に関わるものでなく、また、上記上申書の提出から、相当の期間を経過した現在に至るも、被請求人は当該交渉の成否はもとより、その進展具合さえ何ら具体的に明らかにするところがないから、これ以上、本件の審理を遅滞させるべき理由はないものと認め審理を行うこととした。
　よって、結論のとおり審決する。